(57)【要約】【課題】  サーバー室の床面からラック内のサーバーに冷風を吹き出させる構造で、ラック内に確実に冷風を供給でき、温風を確実に回収して空調装置へ返戻できるようにして、サーバー室の空調効率を向上させる。【解決手段】  ラック２の前面にフレーム１を取り付けて、前面と側面とに周壁部材を取り付ける。冷風用案内ボックス10aには天井部材を設け、温風用案内ボックス11aには、底部材を設けるとともに、天井近傍まで伸長させる(図６参照)。床面４から吹き出された冷風Acは冷風用案内ボックス10aからラック２内に供給されてサーバーの冷却に供される。サーバーの冷却後の温風Ahは、温風用案内ボックス11a内を上昇して天井から回収されて空調装置に返戻させる。【選択図】        図１
2016001096.tif 000002
【特許請求の範囲】
【請求項１】
複数台のサーバーを収容可能なラックが複数個並設しているラック列が通路を挟んで設置されるサーバー室であって、前記通路の床面から冷風が吹き出されて前記ラックの前面側からラック内に供給され、ラック内のサーバーの冷却に供された後、ラックの背面側から排出されるサーバー室内の空調の効率化構造において、
前記ラックの前面と背面のいずれか一方または双方に、棒材による空調空気案内ボックス用のフレームをラックから突出させて取り付け、
前記空調空気案内ボックス用フレームに周壁部材を取り付けて、前記ラックの前面と背面のいずれか一方または双方に空調空気案内ボックスを配設してあることを特徴とするサーバー室内の空調の効率化構造。
【請求項２】
前記フレームであってラックの前面に取り付けたフレームには、該フレームの上部に帯電防止性を備えた天井部材を取り付け、前記床面から供給された冷風をラックの前面からラック内に供給することを特徴とする請求項１に記載のサーバー室内の空調の効率化構造。
【請求項３】
前記フレームであってラックの背面に取り付けたフレームの上端部をサーバー室の天井近傍まで伸長させ、該フレームの下部に防炎性を備えた底部材を取り付けて、ラックから排出された温風をサーバー室の天井まで案内させることを特徴とする請求項１または請求項２に記載のサーバー室内の空調の効率化構造。
【請求項４】
前記ラックの前面のフレームに取り付けた周壁部材は、帯電防止性を備えていることを特徴とする請求項１または請求項２に記載のサーバー室内の空調の効率化構造。
【請求項５】
前記ラックの背面のフレームに取り付けた周壁部材は、防炎性を備えていることを特徴とする請求項１または請求項３に記載のサーバー室内の空調の効率化構造。
【請求項６】
前記周壁部材と天井部材と底部材とは、板材であることを特徴とする請求項１から請求項５までのいずれかに記載のサーバー室内の空調の効率化構造。
【請求項７】
前記周壁部材と天井部材と板部材とは、シート材であることを特徴とする請求項１から請求項５までのいずれかに記載のサーバー室内の空調の効率化構造。
【発明の詳細な説明】
【技術分野】
【０００１】
この発明は、サーバー室の空調の効率化を図るために、空調空気の流路を適切にするための、特にサーバーの冷却に供される冷風と冷却後に昇温した温風とが干渉することを防止するようにしたサーバー室内の空調の効率化構造に関する。
【背景技術】
【０００２】
近年のネットワーク網の多様化や複雑化に伴われて、ネットワーク機器やサーバーを専用のサーバー室に設置することが行われている。この種のサーバー室では、地震や火災、セキュリティなどの対策を講じることは勿論、空調管理も重要な対策課題であり、効率のよい空調システムが望まれている。
【０００３】
ところで、サーバー室の設置にあたっては、例えば、特許文献１には、設置及び撤去を容易かつ迅速に行うことができるサーバー室として、サーバーが設置される空間と、前記サーバーの温度を調整するための空調機とを有するサーバー室であって、長尺状に延びる複数の支柱と、これら複数の支柱の間に設けられ、前記支柱の長辺部に着脱可能に連結される側壁部材とを備え、前記支柱と前記側壁部材とを連結することによって組み立て可能とされたものが開示されている。
【０００４】
また、特許文献２には、ラックが配置される施設の天井に設置された機器の点検・保守作業性にすぐれ、かつ天井パネルの保守性に優れたラック間通路遮へい構造として、複数のラックからなるラック列を対向配置し、該ラック列間に形成されるラック間通路に、天井部と入口扉部と該入口扉部に対向する位置に設置された背面部を設けて形成されたラック間通路遮へい構造であって、該天井部は、天井パネルを支持する枠部材と複数の天井パネルから構成され、ラック間通路内側に、パネル着脱機構部を備えた構造が開示されている。
【先行技術文献】
【特許文献】
【０００５】
【特許文献１】特開２００７−２８５０８２号公報
【特許文献２】特開２０１０−１６８７６７号公報
【発明の概要】
【発明が解決しようとする課題】
【０００６】
サーバー室には、特許文献２に記載されているように、サーバーを収容する多数のラックによってラック列が配置されている。これらラックに収容されたサーバーを冷却するための冷風Ac（白抜きの矢印で示す）は、図７に示すように、いわゆるフリーアクセスフロアーによる床面４から吹き出させて、ラック２の前面から該ラック２内に吹き込むようにしてある。ラック２内に収容された図示しないサーバーの冷却に供されて昇温した温風Ah（斜線を施した矢印で示す）はラック２の背面側から排出される。
【０００７】
図７に示すように、床面４から吹き出された冷風Acは上昇しながらラック２内に供給され、サーバーの冷却に供されてラック２の背面から排出される。排出された温風Ahは天井面に達して回収される。なお、天井面には開口が形成されており、この開口から回収された温風Ahは空調装置に返戻される。
【０００８】
また、図７に示すラック列20では、ラック２の前面と背面とが対向して配されているため、サーバーの冷却に供されてラック２の背面から排出された温風Ahが、サーバーの冷却に供される冷風Acと混合してサーバーに供されることになり、サーバーの冷却の効率を低下させてしまうおそれがある。
【０００９】
そこで、この発明は、床面から吹き出された冷風を確実にサーバーの冷却に供することができるようにすると共に、サーバーの冷却に供されて昇温した温風が前記冷風と干渉することを極力防止するサーバー室内の空調の効率化構造を提供することを目的としている。
【課題を解決するための手段】
【００１０】
前記目的を達成するための技術的手段として、この発明に係るサーバー室内の空調の効率化構造は、複数台のサーバーを収容可能なラックが複数個並設しているラック列が通路を挟んで設置されるサーバー室であって、前記通路の床面から冷風が吹き出されて前記ラックの前面側からラック内に供給され、ラック内のサーバーの冷却に供された後、ラックの背面側から排出されるサーバー室内の空調の効率化構造において、前記ラックの前面と背面のいずれか一方または双方に、棒材による空調空気案内ボックス用のフレームをラックから突出させて取り付け、前記空調空気案内ボックス用フレームに周壁部材を取り付けて、前記ラックの前面と背面のいずれか一方または双方に空調空気案内ボックスを配設してあることを特徴としている。
【００１１】
前記ラックの前面に設けられた空調空気案内ボックスには床面から吹き出された冷風を導入する。これにより、冷風はラックの前面からラック内に供給されて、該ラック内のサーバーの冷却に供される。
【００１２】
他方、前記ラックの背面に設けられた空調空気案内ボックスにはサーバーの冷却に供されて昇温した温風がラックから排出される。これにより、温風は空調空気案内ボックスを上昇してサーバー室の天井に至り、空調装置に返戻される。
【００１３】
なお、空調空気案内ボックス用のフレームに用いられる棒材には、前記周壁部材等を支持させることができるものであればよく、帯電防止性と不燃性・防炎性の機能を具備させれば好ましい。
【００１４】
また、請求項２の発明に係るサーバー室内の空調の効率化構造は、前記フレームであってラックの前面に取り付けたフレームには、該フレームの上部に帯電防止性を備えた天井部材を取り付け、前記床面から供給された冷風をラックの前面からラック内に供給することを特徴としている。
【００１５】
ラックの前面に取り付けられた空調空気案内ボックスには冷風が導入されるが、この冷風にはラック内に供給されずに空調空気案内ボックスから上方に漏洩してしまうものがあり、これを前記天井部材によって阻止して、ラック内に供給されるようにしたものである。
【００１６】
ラックの前面に取り付けられた空調空気案内ボックスには冷風が導入されるため、前記天井部材には帯電防止性を具備させるようにしたものである。なお、この天井部材には、帯電防止性に加えて不燃性・防炎性を備えさせることも望ましい。
【００１７】
また、請求項３の発明に係るサーバー室内の空調の効率化構造は、前記フレームであってラックの背面に取り付けたフレームの上端部をサーバー室の天井近傍まで伸長させ、該フレームの下部に防炎性を備えた底部材を取り付けて、ラックから排出された温風をサーバー室の天井まで案内させることを特徴としている。
【００１８】
ラックから前記空調空気案内ボックスに排出された温風は、該空調空気案内ボックス内を上昇する。この温風は天井の開口から空調装置に返戻されるものであるから、天井近傍まで伸長させたフレームの上端部に案内されて天井まで至るようにしたものである。
【００１９】
また、請求項４の発明に係るサーバー室内の空調の効率化構造は、前記ラックの前面のフレームに取り付けた周壁部材は、帯電防止性を備えていることを特徴としている。
【００２０】
前記ラックの前面に取り付けられた周壁部材に帯電防止性を備えたものを使用するものである。温風に曝されることがないため、帯電防止性を備えていることで十分であるが、不燃性・防炎性を備えさせることも好ましい。
【００２１】
また、請求項５の発明に係るサーバー室内の空調の効率化構造は、前記ラックの背面のフレームに取り付けた周壁部材は、防炎性を備えていることを特徴としている。
【００２２】
前記ラックの背面に取り付けられた周壁部材には、温風に曝されるため、不燃性・防炎性を備えたものを使用するものである。不燃性・防炎性とともに帯電防止性を備えていることも好ましい。
【００２３】
また、請求項６の発明に係るサーバー室内の空調の効率化構造は、前記周壁部材と天井部材と底部材とは、板材であることを特徴としている。
【００２４】
空調空気案内ボックスを板材によって構成したものである。
【００２５】
また、請求項７の発明に係るサーバー室内の空調の効率化構造は、前記周壁部材と天井部材と板部材とは、シート材であることを特徴としている。
【００２６】
空調空気案内ボックスをシート材によって構成したものである。
【発明の効果】
【００２７】
この発明に係るサーバー室内の空調の効率化構造によれば、サーバーの冷却に供される冷風は前記空調空気案内ボックスに案内されて確実にラック内に供給される。また、サーバーの冷却に供されて昇温した温風は前記空調空気案内ボックスにより確実に天井まで案内されて空調装置へ返戻させる。
【００２８】
また、請求項２の発明に係るサーバー室内の空調の効率化構造によれば、冷風を案内する空調空気案内ボックスの上部を、帯電防止性を備えた天井部材で閉塞してあるため、冷風はより確実にラック内に供給される。また、この天井部材には冷風が衝突するため、少なくとも帯電防止性を備えさせることで天井部材が帯電せずにサーバーに悪影響を及ぼすことがなく好ましく、さらに不燃性・防炎性を備えさせることも好ましい。
【００２９】
また、請求項３の発明に係るサーバー室内の空調の効率化構造によれば、温風が前記天井近傍まで案内されるから、確実に空調空気に返戻させる。また、温風が導入されるものであるため、底部材によって底部を閉塞することで、冷風が浸入することがないようにしてある。なお、この底部材は少なくとも不燃性・防炎性を備えていることが好ましく、さらに帯電防止性を備えされることも好ましい。
【００３０】
また、請求項４の発明に係るサーバー室内の空調の効率化構造によれば、冷風に曝される空調空気案内ボックスは帯電することがないから、サーバーに静電気が悪影響を及ぼすことがない。なお、この冷風用の空調空気案内ボックスの周壁部材には、不燃性・防炎性を備えさせることも好ましい。
【００３１】
また、請求項５の発明に係るサーバー室内の空調の効率化構造によれば、温風に曝される空調空気案内ボックスは温風によって昇温しても、燃え出すことがない。なお、この温風用の空調空気案内ボックスの周壁部材には、帯電防止性を備えさせることも好ましい。
【００３２】
また、請求項６の発明に係るサーバー室内の空調の効率化構造によれば、空調空気案内ボックスに板材を用いているため、確実に風路が形成されて、冷風と温風のそれぞれを確実に案内することができる。
【００３３】
また、請求項７の発明に係るサーバー室内の空調の効率化構造によれば、空調空気案内ボックスを軽量化できるとともに、周壁部材をフレームに取り付ける施工が簡便となり、短時間で空調空気案内ボックスを設置することができる。
【図面の簡単な説明】
【００３４】
【図１】この発明に係るサーバー室内の空調の効率化構造の空調空気案内ボックスを示す概略の斜視図である。
【図２】この発明に係るサーバー室内の空調の効率化構造を示す図で、ラックの前面同士と背面同士とのそれぞれが通路を挟んで対向している状況に、前記空調空気案内ボックスを設けた場合を示す側面図である。
【図３】この発明に係るサーバー室内の空調の効率化構造の一例を示す図で、ラックの前面同士が対向して配されている場合であってラックの前面に空調空気案内ボックスを設置した場合を示す平面図である。
【図４】図３に示すラックの前面同士が対向して配されている場合を示す正面図である。
【図５】この発明に係るサーバー室内の空調の効率化構造の一例を示す図で、ラックの前面同士が対向して配されている場合であってラックの背面に空調空気案内ボックスを設置した場合を示す平面図である。
【図６】図５に示すラックの前面同士が対向して配されている場合を示す正面図である。
【図７】通路を挟んでラックの前面と背面とが対向している場合の冷風と温風の流路を説明する図である。
【発明を実施するための形態】
【００３５】
以下、図示した好ましい実施の形態に基づいて、この発明に係るサーバー室内の空調の効率化構造を具体的に説明する。
【００３６】
図１は、この発明に係るサーバー室内の空調の効率化構造のための空調空気案内ボックス10がラック２の前面に取り付けられている状態の斜視図である。なお、該ラック２に収容された図示しないサーバーの操作は前面側から行われるように、該前面は開口されている。また、背面には、後述するように、サーバーの冷却に供されて昇温した温風が排出され、また、サーバーの背面に対する操作を行えるような適宜な開口が形成されている。ラック２は、その前面と背面とが、図２に示すように、通路３挟んで対向して設置されている。この通路３の床面４は、いわゆるフリーアクセスフロアーとされており、この床面４から冷風が吹き出されてサーバー室の空調に供される。
【００３７】
ラック２の前面には、汎用のパイプ等の棒材によって組み立てられたフレーム１が取り付けられている。このフレーム１の前面と側面に周壁部材（図示せず）が取り付けられており、また、天井部には天井部材（図示せず）が取り付けられている。底面は開放されており、前記床面４から吹き出された冷風Acがこの空調空気案内ボックス10に導入されるようにしてある。すなわち、空調空気案内ボックス10は冷風用案内ボックス10aとされている。また、前記周壁部材と天井部材には、不燃性・防炎性と帯電防止性を備えた板材やシート材が用いられている。なお、この冷風用案内ボックス10aには冷風Acが導入されるため、少なくとも帯電防止性が備えられていることが好ましい。また、前記フレーム１を構成する棒材には少なくとも帯電防止性を備え、さらに不燃性・防炎性を備えた材質のものを用いることが好ましい。
【００３８】
前記通路３の床面４から噴射された冷風Acは前記冷風案内ボックス10a内を上昇ながらラック２内に供給されて、該ラック２に収容されているサーバーの冷却に供される。サーバーの冷却に供されて昇温した温風Ahはラック２の背面から排出される。このとき、図２に示すように、前記冷風Acは冷風案内ボックス10a内を流通し、前記温風Ahは冷風案内ボックス10aの外側を流通するから、これら冷風Acと温風Ahとが干渉し合うことがなく、サーバーの冷却効率を低下させることがない。
【００３９】
図３と図４は、ラック列20を構成するラック２の前面同士が通路３を挟んで対向している場合を示すもので、図３は平面図、図４は正面図である。前記フレーム１はラック列20を構成する全てのラック２の前面の全域に冷風案内ボックス10aを取り付けることができるとともに、個別のラック2aに冷風案内ボックス10bを取り付けることもできる。例えば、排熱量の大きいサーバーを収容しているラック2aにのみ冷風案内ボックス10bを取り付けて、該ラック2aには確実に所望量の冷風Acが供給されるようにする。
【００４０】
通路３の床面４から吹き出された冷風Acは冷風案内ボックス10a、10b内に供給されて、ラック２内のサーバーの冷却に供される。また、冷風案内ボックス10a、10bが取り付けられていないラック２には床面４から吹き出された冷風Acが供給される。なお、ラック２内に供給されない冷風はサーバー室の空調に供させる。そして、サーバーの冷却に供されて昇温した温風Ahはラック２の背面から排出される。
【００４１】
図５と図６は、ラック２の背面に空調空気案内ボックス10を取り付けた場合を示しており、ラック２の背面に取り付けられているため、この空調空気案内ボックス10は温風用案内ボックス11aとされている。この温風用案内ボックス11aは、冷風用案内ボックス10aと同様に、フレーム１の前面と側面に図示しない周壁部材が取り付けられており、底面が底部材によって閉塞されて床面４から吹き出された冷風Acがこの温風用案内ボックス11aに浸入しないようしてある。なお、この温風用案内ボックス11aが設置される床面４の部分には、冷風Acの吹き出し口を配しない場合には、前記底部材は不要である。また、図６に示すように、この温風用案内ボックス11aの上部は天井の近傍まで伸長させてあり、温風用案内ボックス11a内を上昇する温風Ahが空調装置に確実に返戻されやすいようにしてある。
【００４２】
また、この温風用案内ボックス11aの前記周壁部材と底部材には、温風Ahに曝されるため、少なくとも不燃性・防炎性を備えた板材やシート材が用いられている。なお、前記周壁部材や底部材に帯電防止性を備えさせることも好ましい。
【００４３】
さらに、図５に示すように、ラック列20の前面の全域に温風用案内ボックス11aを設けることができるとともに、個別のラック２に温風案内ボックス11bを取り付けることもできル。例えば、排熱量の大きいサーバーを収容しているラック2bにのみ温風案内ボックス11bを取り付けて、該ラック2bから排出された温風Ahを確実に天井まで案内されるようにする。
【００４４】
すなわち、ラック２の背面から排出された温風Ahは温風用案内ボックス11a、11bに流入し、これら温風用案内ボックス11a、11bに案内されて上昇する。このとき、温風用案内ボックス11a、11bの上端は天井近傍まで伸長されているため、温風Ahは確実に天井に至り、空調装置へ返戻される。
【００４５】
以上に説明した実施形態では、冷風用案内ボックス10a、10bと温風用案内ボックス11a、11bとを個別に取り付けた場合について説明したが、ラック２にこれら冷風用案内ボックス10a、10bと温風用案内ボックス11a、11bの両方を取り付けるものであっても構わない。
【産業上の利用可能性】
【００４６】
この発明に係るサーバー室内の空調の効率化構造によれば、冷風を確実にラック内に案内でき、また、温風を確実に空調装置まで返戻できるから、サーバー室の空調効率を良好に保つことに寄与する。
【符号の説明】
【００４７】
１  フレーム
２  ラック
2a  ラック
2b  ラック
３  通路
４  床面
５  通路
10  空調空気案内ボックス
10a  冷風用案内ボックス（空調空気案内ボックス）
10b  冷風用案内ボックス（空調空気案内ボックス）
11a  温風用案内ボックス（空調空気案内ボックス）
11b  温風用案内ボックス（空調空気案内ボックス）
20  ラック列
Ac  冷風
Ah  温風
【図１】
2016001096.tif 000003
【図２】
2016001096.tif 000004
【図３】
2016001096.tif 000005
【図４】
2016001096.tif 000006
【図５】
2016001096.tif 000007
【図６】
2016001096.tif 000008
【図７】
2016001096.tif 000009